(57)【要約】【課題】撓んだり、局部的な温度上昇が生じたりしない新規の印刷機胴を製造すること。【解決手段】本発明は、胴基体１１と、印刷機胴の外表面を形成する機能層１２とを有する印刷機胴１０に関する。本発明により、胴基体１１が、フェノール樹脂を染み込ませたファイバ、または繊維板から形成される。【選択図】図１
2008273209.tif 000002
【特許請求の範囲】
【請求項１】
胴基体と、印刷機胴の外表面を形成する機能層とを有する印刷機胴であって、前記胴基体（１１）がフェノール樹脂を染み込ませたファイバ、または繊維板から形成されることを特徴とする印刷機胴。
【請求項２】
前記機能層（１２）がゴム層であることを特徴とする請求項１に記載の印刷機胴。
【請求項３】
前記印刷機胴が、インキローラまたは湿しローラとして形成されることを特徴とする請求項２に記載の印刷機胴。
【請求項４】
前記機能層（１２）がプラスチック層であることを特徴とする請求項１に記載の印刷機胴。
【請求項５】
前記プラスチック層がリルサン層であり、前記印刷機胴がインキ装置のフィルムローラまたは接触ローラとして形成されることを特徴とする請求項４に記載の印刷機胴。
【請求項６】
前記機能層（１２）が金属層であることを特徴とする請求項１に記載の印刷機胴。
【請求項７】
前記金属層がニッケルベースであり、前記印刷機胴が用紙ガイドローラとして形成されることを特徴とする請求項６に記載の印刷機胴。
【請求項８】
前記金属層がクロムベースであり、前記印刷機胴が湿し装置の接触ロールとして形成されることを特徴とする請求項６に記載の印刷機胴。
【請求項９】
前記印刷機胴が、版胴、または渡し胴、または共通圧胴として形成されることを特徴とする請求項６に記載の印刷機胴。
【請求項１０】
前記機能層（１２）がセラミック層であることを特徴とする請求項１に記載の印刷機胴。
【請求項１１】
前記胴基体（１１）と前記機能層（１２）との間に保護層（１４）が配置されることを特徴とする請求項１から１０に記載の印刷機胴。
【請求項１２】
前記保護層（１４）が、前記胴基体（１１）を機械的損傷から保護することを特徴とする請求項１１に記載の印刷機胴。
【請求項１３】
前記保護層（１４）が、前記胴基体（１１）を化学的損傷から保護することを特徴とする請求項１１に記載の印刷機胴。
【発明の詳細な説明】
【技術分野】
【０００１】
本発明は請求項１のプリアンブルに記載の印刷機胴に関する。
【背景技術】
【０００２】
印刷機の印刷機構は、少なくとも１つの刷版を収容する役割を果たす版胴の他に、転写版を収容する役割を果たす渡し胴を使用する。版胴はプレートシリンダとも呼ばれ、また渡し胴はゴム胴とも呼ばれている。圧胴は渡し胴と協働し、このような圧胴は、複数の印刷機構を含む輪転印刷機の印刷ユニットでは、隣接する印刷機構の共通圧胴として、または渡し胴として形成可能である。印刷機には版胴、渡し胴、および圧胴の他に、例えばインキローラ、湿しローラ、および輪転印刷機の場合は用紙ガイドローラなどの別の胴またはローラが組み込まれている。後に印刷機胴という概念が用いられる場合は、以下では胴だけではなくローラでもあるものと理解されたい。
【０００３】
輪転印刷機の場合、ますます多くの並置された印刷ページを有する、ますます幅広い巻取紙が印刷される必要があるという傾向が増していることを認識する必要がある。したがって、実際上、印刷機胴が６ページの印刷ページを並行して被印刷材に印刷できるように構成された印刷機が既に知られている。このように軸方向幅が広い印刷機胴は撓んだり、局部的な温度上昇が生じたりし易い。そのことが印刷品質に悪影響を及ぼしかねない。
【発明の開示】
【発明が解決しようとする課題】
【０００４】
したがって、本発明の目的は、新規の印刷機胴を製造することにある。
【課題を解決するための手段】
【０００５】
この目的は、請求項１に記載の印刷機胴によって達成される。本発明により、胴基体はフェノール樹脂を染み込ませたファイバ、または繊維板から形成される。
【０００６】
本発明によって、胴基体がフェノール樹脂を染み込ませたファイバ、または繊維板から形成される印刷機胴が提供される。フェノール樹脂を染み込ませたファイバ、または繊維板は印刷機胴に高い形状安定度を与え、しかも明らかな軽量化が保証されるので、印刷機胴が撓む恐れは明らかに低減する。それによって、局部的な温度上昇の恐れも低減する。さらに、フェノール樹脂を染み込ませたファイバ、または繊維板からなる胴基体には耐食性がある。したがって、特別な防食コーティングをしなくてもよい。フェノール樹脂を染み込ませたファイバ、または繊維板からなる胴基体のさらに別の利点は、グラスファイバ強化プラスチック、または炭素繊維強化プラスチックから形成された胴基体と比較して明らかに低コストである。
【０００７】
本発明の有利な変形形態によれば、フェノール樹脂を染み込ませたファイバ、または繊維板からなる胴基体と機能層との間に保護層が配置される。
【０００８】
本発明の有利な変形形態は、従属請求項および以下の記載から明らかになる。それに限定されるものではないが、図面を参照して本発明の実施例を詳細に説明する。
【発明を実施するための最良の形態】
【０００９】
本発明は、印刷機、特に輪転印刷機の印刷機胴に関する。
【００１０】
本発明による印刷機胴は、版胴、渡し胴、または共通圧胴であってもよい。本発明による印刷機胴はさらに、インキローラ、湿しローラ、または用紙ガイドローラであってもよい。
【００１１】
図１は、本発明による印刷機胴１０の横断面図であり、図１に示す印刷機胴１０は胴基体１１と、胴基体１１上に粘着された機能層１２とを備えている。機能層１２は印刷機胴１０の外表面を形成している。
【００１２】
本発明によれば、胴基体１１はフェノール樹脂を染み込ませたファイバから形成されている。代替として、胴基体１１は繊維板から形成されることもできる。フェノール樹脂を染み込ませたファイバ、または繊維板からなる胴基体１１は、高い形状安定度および高い耐食性を有し、軽量であり、比較的低コストで製造可能である。それによって、比較的長い軸方向長さと比較的小さい直径とを有し、ひいては比較的細長い印刷機胴で、撓みの恐れを低減できる。
【００１３】
前述のように、フェノール樹脂を染み込ませたファイバ、または繊維板からなる胴基体１１上には機能層１２が粘着されている。この機能層１２は好ましくは、オフセット印刷用の機能層である。機能層１２はゴム層、またはプラスチック層、または金属層、またはセラミック層であってよい。
【００１４】
機能層１２がゴム層として形成される場合は、印刷機胴は好ましくはインキローラ、または湿しローラとして実施される。
【００１５】
機能層１２がプラスチック層として実施される場合は、印刷機胴は好ましくはインキ装置のフィルムローラまたは接触ローラとして形成され、その場合、プラスチック層はリルサン（Rilsan、登録商標）層として実施される。
【００１６】
機能層１２が金属層として形成される場合は、印刷機胴を用紙ガイドローラとして、または湿し機構の接触ローラとして、または印刷機構の版胴として、または印刷機構の渡し胴として、または輪転印刷機の印刷ユニットの共通圧胴として形成することができる。金属層として形成された機能層はニッケルベースまたはクロムベースとすることができる。湿し機構の接触ローラの場合は、金属層として実施された機能層１２は、好ましくはクロムベースを備えている。版胴、渡し胴、共通圧胴、または用紙ガイドローラの場合は、金属層として形成された機能層１２は好ましくはニッケルベースである。
【００１７】
版胴、渡し胴、または共通圧胴の場合は、機能層１２をセラミック層として実施することもできる。
【００１８】
図２は、本発明による印刷機胴１３の第２の実施例を示しており、図２の印刷機胴１３も図１の実施例と同様に、フェノール樹脂を染み込ませたファイバ、または繊維板からなる胴基体１１、ならびに外側の機能層１２を備えている。無用な繰返しを避けるため、胴基体１１および機能層１２に関しては上記の実施形態が参照される。
【００１９】
図２の実施例では、印刷機胴１３の胴基体１１と機能層１２との間に保護層１４が配置されている。保護層１４はその性質に応じて胴基体１１を機械的損傷、または化学的損傷から保護することができる。
【００２０】
機能層１２がゴム層として実施されている場合は、すなわち、損傷したゴム層１２を新しいものと交換するため、これを本発明による印刷機胴から取り外す必要がある場合は、胴基体１１と機能層１２との間に、好ましくは胴基体１１を機械的損傷から保護する保護層１４が配置される。これに対して、機能層１２がプラスチック層として、または金属層として、またはセラミック層として形成されている場合は、機能層１２と胴基体１１との間に配置される保護層１４は、好ましくは、保護層が胴基体１１を化学物質による腐食から保護するように実施される。
【００２１】
本発明による印刷機胴は、好ましくは６／１印刷機胴として、または６／２印刷機胴として、または４／１印刷機胴としても実施され、ただし最初の数字はそれぞれ、軸方向から見て並行して印刷可能な印刷ページ数を、また２番目の数字はそれぞれ、周囲方向から見て連続して印刷可能な印刷ページ数を示している。
【図面の簡単な説明】
【００２２】
【図１】本発明による印刷機胴の第１の実施例の大幅に概略化された横断面図である。
【図２】本発明による印刷機胴の第２の実施例の大幅に概略化された横断面図である。
【符号の説明】
【００２３】
１０    印刷機胴
１１    胴基体
１２    機能層
１４    保護層
【図１】
2008273209.tif 000003
【図２】
2008273209.tif 000004